(57)【要約】  【課題】ショッピングカートの向きを頻繁に変更しなれればならないという煩雑さを顧客に強要することがなく、顧客用通路の幅も無理なく縮小することができる構成のカウンターを実現する。  【解決手段】商品投入用のカゴを載置するためのカゴ受部を有するショッピングカートとともに使用されるカウンターにおいて、少なくとも２つのカゴを同時に平置き可能なメイン天板と、このメイン天板を支持する支持体とを具備してなり、前記メイン天板が、その両側端にショッピングカートを横付けし得るものであり、前記支持体が、前記メイン天板を顧客用通路側が自由端となるようにして前記カゴ受部が下を通過し得る高さ位置に支持するものであり、前記ショッピングカートを、一方の横付け位置から他方の横付け位置まで横方向に平行移動させることができるように構成したものを採用する。【選択図】図１
2018079090.tif 000002
【特許請求の範囲】
【請求項１】
商品投入用のカゴを載置するためのカゴ受部を有するショッピングカートとともに使用されるカウンターであって、
少なくとも２つのカゴを同時に平置き可能なメイン天板と、このメイン天板を支持する支持体とを具備してなり、
前記メイン天板が、その両側端にショッピングカートを横付けし得るものであり、
前記支持体が、前記メイン天板を顧客用通路側が自由端となるようにして前記カゴ受部が下を通過し得る高さ位置に支持するものであり、
前記ショッピングカートを、一方の横付け位置から他方の横付け位置まで横方向に平行移動させることができるように構成されているカウンター。
【請求項２】
前記メイン天板が、前記一方の横付け位置のショッピングカートから受け取った未精算商品が入ったカゴと、前記他方の横付け位置に到達したショッピングカートに渡すべき精算済商品が入ったカゴとを同時に載置可能な面積を備えたものである請求項１記載のカウンター。
【請求項３】
前記支持体が、床面に設置される脚ベースと、この脚ベースに連設され前記メイン天板の反自由端側を支持する脚体とを備えたものであり、
前記脚ベースが、前記顧客用通路に連続する前記床面に、ショッピングカートを前記顧客用通路側から前記天板の一側端に横付けするための始端領域と、前記ショッピングカートを前記天板の他側端に横付けするための終端領域と、前記ショッピングカートを前記始端領域から前記終端領域まで横移動させるための中間領域とを形成し得る形態をなしている請求項１又は２記載のカウンター。
【請求項４】
前記脚ベースが、前記メイン天板の自由端と平行に伸びるベース本体と、このベース本体の両端から顧客用通路側に延出する延出部とを備えたもので、前記両延出部間に前記始端領域と、前記中間領域と、前記終端領域が形成されるようになっており、
前記脚体が、前記ベース本体よりも顧客用通路側に出っ張らない形態をなしている請求項３記載のカウンター。
【請求項５】
前記ショッピングカートが、上のカゴ受部と、下のカゴ受部とを備えたものであり、
前記メイン天板が、前記上のカゴ受部よりも高い位置に配されたものである請求項１、２、３又は４記載のカウンター。
【請求項６】
少なくとも前記始端領域に対応する位置に前記カゴを直接載置することが可能なサブ天板を配したものであって、
前記サブ天板が、前記上のカゴ受部よりも低く且つ前記下のカゴ受部に乗せられたカゴよりも高い位置に配されたものである請求項５記載のカウンター。
【請求項７】
前記支持体が、前記始端領域に停車したショッピングカートから下のカゴ受部上のカゴを反顧客用通路側に取り出すためのカゴ取出窓を備えたものである請求項６記載のカウンター。
【請求項８】
前記カゴ取出窓の下縁部に、前記ショッピングカートから取り出されるカゴの底面を案内支持するカゴ案内部材が設けられている請求項７記載のカウンター。
【発明の詳細な説明】
【技術分野】
【０００１】
本発明は、スーパーマーケット等において好適に用いられるカウンターに関するものである。
【背景技術】
【０００２】
従来、ショッピングカートとともに使用されるこの種のカウンターとして、バーコード読み取り機等を備えたメイン天板を有し、そのメイン天板の両側にショッピングカートを横付けすることができるようにしたものが知られている（例えば、特許文献１参照）。
【０００３】
しかして、かかるカウンターを用いたレジシステムにおいては、未精算商品が入ったカゴを搭載したショッピングカートを前記天板の一側端に横付けしてチェックインし、前記メイン天板の他側縁に横付けしたショッピングカートに精算済商品が入ったカゴを搭載してチェックアウトするようになっている。
【０００４】
ところが、従来のものは、前記天板を一定の高さ位置に保持する支持体が、前記天板の下面全域を支える形態をなしているため、かかるカウンターで精算を行うには、ショッピングカートの向きを頻繁に変更しなければならない。すなわち、このようなシステムでは、未精算商品を入れたカゴを搭載して顧客用通路に沿って進行して来たショッピングカートを直角に向きを変えて前記メイン天板の一方の横付け位置に差し込んでチェックインし、空になったショッピングカートを顧客用通路に引き出して直角に向きを戻した上で、その顧客用通路を直進し、しかる後に再び直角に向きを変えて前記メイン天板の他方の横付け位置に差し込んでチェックアウトしなければならない。
【０００５】
そのため、ショッピングカートの向きを頻繁に変更しなれればならないという煩雑さを顧客に強要することになるだけでなく、顧客用通路の幅も広く確保しておくことが必要となる。
【先行技術文献】
【特許文献】
【０００６】
【特許文献１】実用新案登録第３１７６６４８号公報
【発明の概要】
【発明が解決しようとする課題】
【０００７】
本発明は、このような事情に鑑みてなされたもので、前述した課題を効果的に解消することを目的としている。
【課題を解決するための手段】
【０００８】
請求項１のカウンターは、商品投入用のカゴを載置するためのカゴ受部を有するショッピングカートとともに使用されるものであって、少なくとも２つのカゴを同時に平置き可能なメイン天板と、このメイン天板を支持する支持体とを具備してなり、前記メイン天板が、その両側端にショッピングカートを横付けし得るものであり、前記支持体が、前記メイン天板を顧客用通路側が自由端となるようにして前記カゴ受部が下を通過し得る高さ位置に支持するものであり、前記ショッピングカートを、一方の横付け位置から他方の横付け位置まで横方向に平行移動させることができるように構成されている。
【０００９】
請求項２のカウンターは、請求項１に係る構成において、前記メイン天板が、前記一方の横付け位置のショッピングカートから受け取った未精算商品が入ったカゴと、前記他方の横付け位置に到達したショッピングカートに渡すべき精算済商品が入ったカゴとを同時に載置可能な面積を備えたものである。
【００１０】
請求項３のカウンターは、請求項１又は２に係る構成において、前記支持体が、床面に設置される脚ベースと、この脚ベースに連設され前記メイン天板の反自由端側を支持する脚体とを備えたものであり、前記脚ベースが、前記顧客用通路に連続する前記床面に、ショッピングカートを前記顧客用通路側から前記天板の一側端に横付けするための始端領域と、前記ショッピングカートを前記天板の他側端に横付けするための終端領域と、前記ショッピングカートを前記始端領域から前記終端領域まで横移動させるための中間領域とを形成し得る形態をなしている。
【００１１】
請求項４のカウンターは、請求項３に係る構成において、前記脚ベースが、前記メイン天板の自由端と平行に伸びるベース本体と、このベース本体の両端から顧客用通路側に延出する延出部とを備えたもので、前記両延出部間に前記始端領域と、前記中間領域と、前記終端領域が形成されるようになっており、前記脚体が、前記ベース本体よりも顧客用通路側に出っ張らない形態をなしている。
【００１２】
請求項５のカウンターは、請求項１、２、３又は４に係る構成において、前記ショッピングカートが、上のカゴ受部と、下のカゴ受部とを備えたものであり、前記メイン天板が、前記上のカゴ受部よりも高い位置に配されたものである。
【００１３】
請求項６のカウンターは、請求項５に係る構成において、少なくとも前記始端領域に対応する位置に前記カゴを直接載置することが可能なサブ天板を配したものであって、前記サブ天板が、前記上のカゴ受部よりも低く且つ前記下のカゴ受部に乗せられたカゴよりも高い位置に配されたものである。
【００１４】
請求項７のカウンターは、請求項６に係る構成において、前記支持体が、前記始端領域に停車したショッピングカートから下のカゴ受部上のカゴを反顧客用通路側に取り出すためのカゴ取出窓を備えたものである。
【００１５】
請求項８のカウンターは、請求項７に係る構成において、前記カゴ取出窓の下縁部に、前記ショッピングカートから取り出されるカゴの底面を案内支持するカゴ案内部材が設けられている。
【００１６】
なお、本発明において、「メイン天板を前記カゴ受部が下を通過し得る高さ位置に支持する」とは、メイン天板の高さ位置がカゴ受部の少なくとも先端を含む一部が下を通過し得る位置となるように該メイン天板を支持することを示す概念である。
【発明の効果】
【００１７】
本発明によれば、ショッピングカートの向きを頻繁に変更しなれればならないという煩雑さを顧客に強要することがなく、顧客用通路の幅も無理なく縮小することができる構成のカウンターを実現できる。
【図面の簡単な説明】
【００１８】
【図１】本発明の一実施形態を示す顧客通路側から見た斜視図。
【図２】同実施形態を示す反顧客通路側から見た斜視図。
【図３】同実施形態を示す正面図。
【図４】同実施形態を示す平面図。
【図５】同実施形態を示す右側面図。
【図６】同実施形態のカウンターを使用したセミセルフレジシステム全体を示す概略平面図。
【図７】同実施形態の作用を説明するための概略平面図。
【図８】同実施形態の作用を説明するための概略平面図。
【図９】同実施形態の作用を説明するための概略平面図。
【図１０】同実施形態の作用を説明するための概略平面図。
【発明を実施するための形態】
【００１９】
以下、本発明の実施形態を、図面を参照しつつ説明する。
【００２０】
この実施形態は、本発明をセミセルフレジシステム列Ｑに組み込まれるカウンター１に適用した場合のものである。
【００２１】
前記セミセルフレジシステム列Ｑは、図６に示すように、精算時に顧客が通過する顧客用通路Ａに沿って、バーコードの読み取りを行うための本発明に係るカウンター１と、このカウンター１を通過することにより取得された購入商品の価格情報に基づいて顧客が金銭の最終精算を行うための複数台の無人精算機２とを１列に配設してなるものであり、スーパーマーケット等の大型店舗においては、かかるセミセルフレジシステム列Ｑが複数本併設される。
【００２２】
前記カウンター１は、図１〜図５に示すように、商品投入用のカゴＢを載置するためのカゴ受部３ａ、３ｂを有するショッピングカート３とともに使用されるものであって、２つのカゴＢを同時に平置き可能なメイン天板４と、このメイン天板４を支持する支持体５とを具備してなる。そして、前記メイン天板４が、その両側端４ａ、４ｂにショッピングカート３を横付けし得るものであるとともに、前記支持体５が、前記メイン天板４を顧客用通路Ａ側が自由端４ｃとなるようにして前記カゴ受部３ａ、３ｂが下を通過し得る高さ位置に支持するものであり、前記ショッピングカート３を、一方の横付け位置（Ｐ１）から他方の横付け位置（Ｐ２）まで横方向に平行移動させることができるように構成されている。
【００２３】
なお、前記ショッピングカート３は、広く普及している二段積みタイプのもので、上のカゴ受部３ａと下のカゴ受部３ｂとを備えており、前記メイン天板４は、上のカゴ受部３ａよりも高い位置に配されている。この実施形態においては、現在普及している一般的なショッピングカート３の寸法にかんがみて、メイン天板４の最も低い部位と床面Ｆとの距離を７６ｃｍ程度に設定している。
【００２４】
詳述すれば、前記メイン天板４は、図１〜図５に示すように、前記自由端４ｃを構成する前フレーム１１と、この前フレーム１１の左右両端から後方に延出する対をなす側フレーム１３と、これら側フレーム１３及び前記前フレーム１１の内側に配設された板状をなす天板本体１５とを備えたもので、側フレーム１３の後端側、換言すれば、当該メイン天板４の反自由端４ｄ側が前記支持体５により片持的に支持されている。このメイン天板４は、前記一方の横付け位置Ｐ１のショッピングカート３から受け取った未精算商品が入ったカゴＢと、前記他方の横付け位置Ｐ２に到達したショッピングカート３に渡すべき精算済商品が入ったカゴＢとを同時に載置可能な面積を備えたものであり、その自由端４ｃ近傍部には、バーコード読み取り用の機器８が設けられている。前記ショッピングカート３や前記バーコード読み取り用の機器８は通常のものであるため、これ以上の説明は省略する。
【００２５】
前記支持体５は、図１〜図３及び図５に示すように、床面Ｆに設置される脚ベース１７と、この脚ベース１７に連設され前記メイン天板４の反自由端４ｄ側を支持する脚体１９とを備えたものであり、前記脚ベース１７が、前記顧客用通路Ａに連続する床面Ｆに、未精算商品が入ったカゴＢを搭載したショッピングカート３を前記顧客用通路Ａ側から前記メイン天板４の一側端４ａに横付けするための始端領域Ｒ１と、前記精算済商品の入ったカゴＢを受け取るべく前記ショッピングカート３を前記メイン天板４の他側端４ｂに横付けするための終端領域Ｒ３と、カゴＢを取り除かれた前記ショッピングカート３を前記カゴ受部３ａ、３ｂが前記メイン天板４の下を通過するようにして前記始端領域Ｒ１から前記終端領域Ｒ３まで横移動させるための中間領域Ｒ２とを形成し得る形態、例えば、平面視コ字状の形態をなしている。
【００２６】
詳述すれば、前記脚ベース１７は、図１〜図３及び図５に示すように、前記メイン天板４の自由端４ｃと平行に伸びるベース本体２１と、このベース本体２１の両端２１ａ、２１ｂから顧客用通路Ａ側に延出する延出部２３とを備えたもので、前記両延出部２３間にチェックイン用の前記始端領域Ｒ１と、前記ショッピングカート３を横方向に平行移動させるための前記中間領域Ｒ２と、チェックアウト用の前記終端領域Ｒ３が形成されるようになっている。また、この脚ベース１７は、前記ベース本体２１の中間部分に後方に突出する枠体２５を備えている。
【００２７】
前記脚体１９は、図１〜図３及び図５に示すように、前記ベース本体２１よりも顧客用通路Ａ側に出っ張らない形態、換言すれば、前記ショッピングカート３が、前記始端領域Ｒ１から前記終端領域Ｒ３まで横方向に平行移動するのを阻害しない形態をなしている。具体的には、前記脚体１９は、前記ベース本体２１に立設され上端で前記メイン天板の左右の側フレーム１３の反自由端４ｄ近傍部を支持する対をなすメイン前支柱２７と、これらメイン前支柱２７の後方に位置させて前記脚ベース１７の枠体２５に立設された対をなすメイン後支柱２９とを備えたもので、前記メイン後支柱２９の上端は前記メイン天板４の側フレーム１３の後端と一体に連続させてある。この脚体１９のメイン前支柱２７間には、幕板３１がはめ込まれており、この幕板３１の背面側には、配線ダクト３３と、棚板３５が配設されている。前記配線ダクト３３には、前記バーコード読み取り用の機器８に接続された電力線や通信線等の配線類９１が収納されている。この脚体１９の後方に位置する床面Ｆ上には、レジを担当する店員Ｘが上に乗るための踏み台９３が配置されている。また、この脚体１９は、前記ベース本体２１の両端２１ａ、２１ｂ近傍部に立設された対をなすサブ支柱３７を備えている。
【００２８】
しかして、このカウンター１における前記始端領域Ｒ１に対応する位置すなわち前記メイン天板４の一側端４ａ側には、図１〜図４に示すように、前記カゴＢや商品を直接載置することが可能なチェックイン用のサブ天板６が配されている。このチェックイン用のサブ天板６は、始端領域Ｒ１側のサブ支柱３７とメイン前支柱２７とによって支持されている。一方、このカウンター１における前記終端領域Ｒ３に対応する位置すなわち前記メイン天板４の他側端４ｂ側には、前記カゴＢや商品を直接載置することが可能なチェックアウト用のサブ天板７が配されている。このチェックアウト用のサブ天板７は、終端領域Ｒ３側のサブ支柱３７とメイン前支柱２７とによって支持されている。
【００２９】
前記両サブ天板６、７は、図１〜図４に示すように、前記ショッピングカート３の前記上のカゴ受部３ａよりも低く且つ前記下のカゴ受部３ｂに乗せられたカゴＢよりも高い位置に配されたものである。また、前記両サブ天板６、７は、前記メイン前支柱２７から顧客通路Ａ側に片持ち的に突設された内側の側フレーム３９、４１と、前記サブ支柱３７の上端から顧客通路Ａ側に片持ち的に突設された外側の側フレーム４３、４５と、これら内外の側フレーム３９、４３、４２、４５間に架設された複数本の横架材４７、４９と、この横架材４７、４９上に載設した透明板５１、５３とを具備してなる。両サブ天板６、７の自由端６ａ、７ａ側は、ショッピングカート３を侵入させる際の心理的な抵抗感を緩和させるために下方に緩やかに湾曲させてある。これらサブ天板６、７の最も低い部位と床面Ｆとの間の距離は、一般的なショッピングカート３の下のカゴ受部３ｂの高さ位置や一般的なカゴＢの大きさにかんがみて５１ｃｍ程度に設定されている。
【００３０】
さらに、前記支持体５は、図１〜図３に示すように、前記始端領域Ｒ１に停車したショッピングカート３から下のカゴ受部３ｂ上のカゴＢを顧客用通路Ａと反対側に取り出すためのカゴ取出窓５５を備えている。このカゴ取出窓５５は、前記サブ支柱３７と、前記メイン前支柱２７と、これらサブ支柱３７及びメイン前支柱２７の上端間に位置する前記サブ天板６と、前記サブ支柱３７及び前記メイン前支柱２７の下端近傍部間に架設され下縁部５５ａを構成するカゴ案内部材５７とによって形成されたもので、このカゴ案内部材５７によって前記ショッピングカート３から取り出されるカゴＢの底面を摺動可能に案内支持するようになっている。加えて、前記支持体５は、図１〜図３に示すように、精算済みの商品を収容した状態のカゴＢを前記終端領域Ｒ３に停車したショッピングカート３の下のカゴ受部３ｂに積載すべく運び入れるためのカゴ取出窓５９を備えている。このカゴ取出窓５９は、前記サブ支柱３７と、前記メイン前支柱２７と、これらサブ支柱３７及びメイン前支柱２７の上端間に位置する前記サブ天板７と、前記サブ支柱３７及び前記メイン前支柱２７の下端近傍部間に架設され下縁部５９ａを構成するカゴ案内部材６１とによって形成されたもので、このカゴ案内部材６１によって前記ショッピングカート３に積載されるカゴＢの底面を摺動可能に案内支持するようになっている。
【００３１】
次いで、このカウンター１を用いたセミセルフレジシステム列Ｑの使用例を図７〜図１０を参照しつつ説明する。
【００３２】
かかるカウンター１を用いたセミセルフレジシステム列Ｑにおいては、未精算商品が入ったカゴＢを搭載したショッピングカート３を携えた顧客Ｙは、まず、図７に示すように、ショッピングカート３を顧客用通路Ａの入り口から進入させて前記メイン天板４の一側端４ａに横付けしてチェックインを行う。すなわち、チェックイン用の横付け位置（Ｐ１）にショッピングカート３が停車すると、図８に示すように、そのカウンター１を担当している店員Ｘがショッピングカート３から前記カゴＢをメイン天板４上に移し替え、そのメイン天板４上で前記カゴＢに投入されている未精算の商品に関するバーコードの読み取りを順次行うことになる。店員Ｘがかかるバーコードの読み取りを行っている間に顧客Ｙが前記ショッピングカート３を向きを変えることなく横移動させてメイン天板４の下をくぐらせ、図９に示すように、このメイン天板４の他側縁４ｂにそのショッピングカート３を横付けし、チェックアウト用の横付け位置（Ｐ２）に停車させる。その間、店員Ｘは、図９に示すように、未精算の商品を未精算商品用のカゴＢ（図９における左側のカゴＢ）から取り出してバーコードの読み取り作業すなわち商品の精算作業を行い、精算済みの商品を順次精算済商品用のカゴＢ（図９における右側のカゴＢ）に移し替える作業を行っている。そして、そのショッピングカート３により精算済商品が入ったカゴＢを受け取ってチェックアウトを行う。しかる後に、図１０に示すように、顧客Ｙは前記ショッピングカート３を顧客用通路Ａに引き出し、その通路Ａの脇に配置された無人精算機２に立ち寄って金銭的な精算を済ませ、購買動作を終える。
【００３３】
詳述すれば、図７に示すように、ショッピングカート３がチェックイン用の横付け位置（Ｐ１）に到達した段階では、上のカゴ受部３ａがサブ天板６上に位置するとともに、下のカゴ受部３ｂに載せられたカゴＢは、前記サブ天板６の下に位置することになる。そのため、店員Ｘは、上のカゴ受部３ａ上のカゴＢをそのままメイン天板４上に移し替えてバーコードの読み取りを行う。また、下のカゴ受部３ｂにもカゴＢが載せられている場合には、そのカゴＢをカゴ取出窓５５から顧客用通路Ａと反対側に取り出して、同様な操作によりバーコードの読み取りを行うことになる。下のカゴ受部３ｂ上のカゴＢを店員Ｘが手前に引き出して天板４上に乗せ換える作業の途上においては、前記カゴＢの底面が前記取り出し窓５５の下縁５５ａに設けられたカゴ案内部材５７により案内されるようになっているので、円滑なカゴＢの取り出し作業が可能となり、店員Ｘの負担を軽減することができる。ショッピングカート３からすべてのカゴＢが取り出された図８に示すような状態から、顧客Ｙが向きを変えることなく天板４の自由端４ｃに沿って横移動するだけで、空のショッピングカート３を前記図８に示すチェックイン用の横付け位置（Ｐ１）から図９に示すチェックアウト用の横付け位置（Ｐ２）まで横方向に平行移動させることができる。すなわち、空のショッピングカート３を顧客通路Ａ側に移動させて抜き差しすることなく、チェックアウト用の横付け位置（Ｐ２）にショッピングカート３を到達させることができる。
【００３４】
以上の動きをショッピングカート３を中心に説明すれば、まずショッピングカート３は顧客用通路Ａの入り口から当該通路Ａ内に進入し、この顧客用通路Ａに連続する始端領域Ｒ１にカートインされる。しかる後、そのショッピングカート３は、向きを変えることなく中間領域Ｒ２上を横方向に移動し、終端領域Ｒ３に到達する。すなわち、前記カウンター１は、ショッピングカート３の以上の動作を許容する形態をなしている。そして、終端領域Ｒ３から顧客用通路Ａに引き出されたショッピングカート３は無人精算機２に向かうことになる。
【００３５】
このような構成のカウンター１であれば、チェックイン用の横付け位置（Ｐ１）からチェックアウト用の横付け位置（Ｐ２）までショッピングカート３を横方向に平行移動させることができるため、ショッピングカート３の横付け位置への抜き差し動作が不要となり、顧客Ｙにストレスを無理なく軽減させることができる。しかも、カウンター１の周辺でショッピングカート３を抜き差しする必要がないため、顧客用通路Ａの幅を無理なく小さくすることができる。換言すれば、レジ間通路を狭く設定することが可能となる。
【００３６】
なお、本発明は以上に述べた実施形態に限らない。
【００３７】
例えば、カゴ案内部材を転動可能なローラー状のものとし、ショッピングカートから取り出されるカゴの底面を、このカゴ案内部材の上に載置させてこのカゴ案内部材を自転させつつカゴを引き出すことができる態様を採用してもよい。
【００３８】
メイン天板の面積は任意に設定してよいが、上述した実施形態のように、一方の横付け位置のショッピングカートから受け取った未精算商品が入ったカゴと、他方の横付け位置に到達したショッピングカートに渡すべき精算済商品が入ったカゴとを同時に載置可能な面積を備えたものであれば、最小限の大きさのもので無理なくバーコードの読み取りを行うことができる。
【００３９】
支持体の態様も上述した実施形態のものに限らずその下をショッピングカートが横移動できるような高さ位置にメイン天板を支持できるものであればどのようなものであってもよいが、前記実施形態のものであれば、簡単な構成によりメイン天板を確実に支持することが可能となる。特に、脚ベースの形状や脚体の構造も以上説明したものに限られない。脚ベースは、両端の延出部を外側に開くような形態にするなど、種々変形が可能であるが、前記のような形状にすれば、カウンター全体の設置面積を最も小さくすることができる。また、脚体も支柱のみにより構成するなど種々変形が可能であるが、前記実施形態のように幕板、棚板、配線ダクト等を設けたものであれば、より利便性を高めることができる。特に、前記棚板や配線ダクトは、支持強度を高めるための前支柱と後支柱との間の空間を利用して配されているため、顧客や店員の邪魔になることがない。
【００４０】
メイン天板の高さ位置は、カゴ受部の全体がその下方を通過できるようなものであってもよいが、前記実施形態のように、カゴ受部の先端を含む主要部がその下を通過できるような値に設定しておけば、メイン天板がむやみに高くなるのを抑制しつつ前述した効果を得ることができる。
【００４１】
請求項１に係る発明のカウンターはメイン天板の両側端にショッピングカートを横付けすることができればよく、サブ天板は必ずしも必要ではない。しかしながら、サブ天板を設けておけば、ショッピングカートを用いない顧客の利便性を高めることができる。すなわち、このサブ天板には、未精算商品が入ったカゴや、商品そのものを直接載置することができる。サブ天板の構成も、かかる機能を発揮するとともにショッピングカートのカートイン動作を阻害しないものであればどのようなものであってもよいが、前記実施形態のような構成によれば、小さな商品の転落等を招くことなく、店員側からショッピングカートの下のカゴ受部に載せられたカゴの存在を明確に確認することができる。
【００４２】
加えて、前記実施形態では、メイン天板を、側フレームと、前フレームと、これら側フレーム及び前フレームの内側に配設された天板本体とを備えた構成としているが、左右の側フレームの上面間に天板本体を架設する構成等、他の構成を採用してももちろんよい。
【００４３】
そして、前記実施形態では、直線状の顧客通路に沿ってカウンター及び無人精算機が並ぶ態様のセミセルフレジシステムに本発明を適用しているが、顧客通路がカウンターの終端側から屈曲している、換言すればカウンター及び無人精算機が同一直線状に並んでいない態様のセミセルフレジシステムに本発明を適用してももちろんよい。さらに、カウンターに精算機が備えられた通常のレジシステムに本発明を適用してももちろんよい。
【００４４】
その他、本発明の趣旨を損ねない範囲で種々に変更してよい。
【符号の説明】
【００４５】
１…カウンター
３…ショッピングカート
３ａ、３ｂ…カゴ受部
４…メイン天板
４ａ、４ｂ…（メイン天板の）側端
４ｃ…（メイン天板の）自由端
５…支持体
６、７…サブ天板
１７…脚ベース
１９…脚体
２１…ベース本体
２３…延出部
５５…カゴ取出窓
５５ａ…（カゴ取出窓の）下縁部
５７…カゴ案内部材
Ａ…顧客用通路
Ｂ…カゴ
Ｐ１…一方の横付け位置
Ｐ２…他方の横付け位置
Ｒ１…始端領域
Ｒ２…中間領域
Ｒ３…終端領域
【図１】
2018079090.tif 000003
【図２】
2018079090.tif 000004
【図３】
2018079090.tif 000005
【図４】
2018079090.tif 000006
【図５】
2018079090.tif 000007
【図６】
2018079090.tif 000008
【図７】
2018079090.tif 000009
【図８】
2018079090.tif 000010
【図９】
2018079090.tif 000011
【図１０】
2018079090.tif 000012